(57)【特許請求の範囲】
【請求項１】
記録層を持つ記録媒体と、レーザ光を発射する半導体レーザ光源と、前記レーザ光について前記記録媒体の記録層内で焦点を結ばせる対物レンズと、前記対物レンズを少なくともフォーカス方向に駆動するアクチュエータと、前記対物レンズと光源の間に設けた光軸方向変移器と、前記光軸方向変移器の変移を検出する変移検出手段とを備え、前記光軸方向変移器を可動しディスク厚の異なる上記記録媒体に焦点を結ぶことにより信号の記録再生を行う情報記録再生装置において、
対物レンズの瞳径をａとし、対物レンズに入ってくるレーザ光の１／ｅ2となる強度の取り込み範囲をｗとしたときに、前記光軸方向変移器の最大可動範囲をａ／ｗが０．８以下の範囲に設定したことを特徴とする光ピックアップ装置。
【請求項２】
半導体レーザ光源の拡がり角の違いを補正するビーム整形手段を設けたことを特徴とする請求項１記載の光ピックアップ装置。
【発明の詳細な説明】
【０００１】
【発明の属する技術分野】
本発明は、深さ方向にガイドトラック層と複数の記録層とを有する情報記録媒体に対して情報の記録および／または再生を行う情報記録再生装置の光ピックアッブ装置に関するものである。
【０００２】
【従来の技術】
この種の光ピックアップ装置としては、異なる二つの厚みの光ディスクの再生を可能するものが提案されている（例えば特開平１０−１３４４００号公報参照）。この従来の光ピックアップ装置は、光ディスクの厚みの違いに合わせ、コリメータレンズを光軸方向駆動させることにより収束度、発散度を調整し、収差を打ち消すようにしたものである。
【０００３】
また、他の従来の光ピックアップ装置としては、少なくとも２個の記録面とガイド面を備えた光記録媒体に光学的に情報を書き込み、読取り、あるいは消去できるものが提案されている（例えば特開平４−３０１２２６号公報参照）。この従来の他の光ピックアップ装置は、対物レンズに近い側にガイドトラック層を、対物レンズから離れる側に複数の記録層を有する情報記録媒体に対し、ガイド用光源と記録再生用の走査用光源とを用いて情報の記録／再生を行うもので、ガイド用光源からのガイドビームはガイド用コリメータレンズで平行光束に変換した後、ビーム結合素子、ガルバノミラーおよび対物レンズを経て情報記録媒体のガイドトラック層に集光させている。
【０００４】
また、走査用光源からの走査ビームは、走査用コリメータレンズで平行光束に変換した後、光軸方向偏移器により収束度、発散度を調整して上記ビーム結合素子でガイドビームと結合し、上記ガルバノミラーおよび対物レンズを経て情報記録媒体の所望の深さの記録層に集光させるようにしている。
【０００５】
このようにして、情報の記録においては、ガイドビームをガイドトラック層に集光させ、その戻り光に基づいてフォーカス制御およびトラッキング制御を行うととともに、対物レンズに入射する走査ビームの平行度を光軸方向偏移器で制御しながら、走査ビームを所望の深さの記録層に集光させて情報を記録し、また所望の深さの記録層に記録されている情報の再生や消去においては、走査ビームを所望の深さの記録層に集光させ、その戻り光に基づいてフォーカス制御およびトラッキング制御を行いながら、情報を再生あるいは消去するようにしている。
【０００６】
【発明が解決しようとする課題】
しかしながら、上述した従来の二つの光ピックアップ装置にあつては、対物レンズに入射するビームの平行度をコリメータレンズまたは光軸方向偏移器で制御するため、対物レンズヘ入射する光は発散光や収集光となり、半導体レーザの拡がり角の取り込み範囲が変わってしまっていた。
【０００７】
このため、記録層により対物レンズの瞳径ａと、この対物レンズへ入つてくる光ビームのガウス分布のとりこみ範囲（１／ｅ2となる強度で定義した径ｗ）との比率ａ／ｗが変わってしまうため、記録層によりスポット径が変わってしまい、例えばグルーブによるトラックエラーの変調度は、スポット径の変動により大きな変動を受けてしまう欠点があった。
【０００８】
同様に、記録媒体から信号を読取りの方においても、上述した現象が発生するという欠点があった。
【０００９】
このような理由から、安定したトラックサーボができず、また、情報信号の記録再生ができないという不具合があった。
【００１０】
（発明の目的）
本発明は、上述した点に鑑みてなされたものであり、情報記録媒体ディスクの厚みの変動や多層記録による記録層移動を行うことによる回折スポット径の変動を小さく押さえ、安定したトラックサーボや情報信号の記録再生を可能とする光ピックアップ装置を提供することを目的としている。
【００１１】
【課題を解決するための手段】
上記目的を達成するために、本発明の第１の光ピックアップ装置は、記録層を持つ記録媒体と、レーザ光を発射する半導体レーザ光源と、前記レーザ光について前記記録媒体の記録層内で焦点を結ばせる対物レンズと、前記対物レンズを少なくともフォーカス方向に駆動するアクチュエータと、前記対物レンズと光源の間に設けた光軸方向変移器と、前記光軸方向変移器の変移を検出する変移検出手段とを備え、前記光軸方向変移器を可動しディスク厚の異なる上記記録媒体に焦点を結ぶことにより信号の記録再生を行う情報記録再生装置において、対物レンズの瞳径をａとし、対物レンズに入ってくるレーザ光の１／ｅ2となる強度の取り込み範囲をｗとしたときに、前記光軸方向変移器の最大可動範囲をａ／ｗが０．８以下の範囲に設定したことを特徴とする。
【００１２】
したがって、第１の光ピックアップ装置によれば、ディスク厚の変動や多層記録による記録層移動を行うことによる回折スポット径の変動を、前記光軸方向変移器の最大可動範囲をａ／ｗが０．８以下の範囲に設定したことにより、小さく押さえることができ、安定したトラックサーボや情報信号の記録再生ができることになる。
【００１３】
本発明の第２の光ピックアップ装置は、第１の光ピックアップ装置において、半導体レーザ光源の拡がり角の違いを補正するビーム整形手段を設けたことを特徴とする。
【００１５】
【発明の実施の形態】
以下、図面を参照して、この発明の実施の形態について説明する。
【００１６】
［第１の実施の形態］
図１ないし図６は本発明の第１の実施の形態に係り、以下第１の実施の形態について説明する。図１は、本発明の第１実施の形態に係る光ピックアップ装置の光学系の全体を示す概略構成図である。図２は、同第１の実施の形態に係る光ピックアップ装置の光学系の要部を示す垂直方向断面図である。図３は、同第１の実施の形態に係る光ピックアップ装置で使用するＰＩＮフォトダイオードからの信号とコリメータレンズ移動量との関係を示す特性図である。
【００１７】
これらの図において、情報記録媒体１は、複数の記録層２と、記録層２の両面にそれぞれ設けられた保護層３からなる。前記記録層２は、それぞれの記録層にグループを有するガイドトラックと、例えば相変化記録と同じ記録／再生のための記録媒質４とを有する。この実施の形態では、かかる情報記録媒体１の記録媒質４にレーザ光を照射し、フォーカス制御、トランキング制御を行いながら、所望の記録層２に対して情報の記録／再生を行う。
【００１８】
図１に示すように、本実施の形態での光ピックアップ装置では、半導体レーザ光源１１からレーザ光１０が発散光として出射する。このレーザ光１０は、シリンドリカルレンズ１２を透過し、後述する記録媒体１からの反射光束を記録／再生及びサーボ信号を生成する光路へ導くための偏光ビームスプリッタ１３を透過する。次にレーザ光１０は、アクチュエータ１５で保持されたコリメートレンズ１４を透過し、透過後に略平行となる。次に、ビームスプリッタ１６と１／４波長板１７は一体に構成され、このビームスプリッタ１６で一部を反射し、コリメートレンズ１４からの平行度を検出する光学系へ導く。一方、ビームスプリッタ１６を透過したレーザ光１０は、１／４波長板を透過して対物レンズ１８により情報記録媒体１の記録層２へ集光する。記録層２から反射したレーザ光１０は、対物レンズ１０で再度平行ビームとなり、１／４波長板１７、ビームスプリッタ１６、コリメータ１４を透過後、偏光ビームスプリッタ１３で反射される。反射後のレーザ光１０は、シリンドリカルレンズ２１で集光される記録媒体からの光束を記録／再生及びサーボ用の電気信号に変換するＰＩＮフォトダイオード２２上に集光する。
【００１９】
一方、偏光ビームスプリッタ１６で一部反射したレーザ光１０は、臨海角プリズム１９へ入り、この反射光を電気信号へ変換するＰＩＮフォトダイオード２２を備えている。
【００２０】
また、少なくとも対物レンズ１８は図示しないボイスモータ付きの可動部にのっており、情報記録媒体１の半径方向に移動可能となっており、移動部位の軽量化により光速シークを可能としている。
【００２１】
以下、作用の詳細を説明する。
半導体レーザ光源１１からのレーザ光１０は、その構造上、断面が楕円なレーザ光１０を出射する。その楕円の短軸方向に直線偏光をしている。また、一般に、上記楕円の短軸方向の拡がり角はたとえば９度前後、長軸方向の拡がり角は２０度前後である。図１において偏光面は紙面と水平方向である。
【００２２】
このレーザ光１０は、シリンドリカルレンズ１２を透過することで楕円強度分布をほぼ円の強度分布へ変換する。すなわち、このシリンドリカルレンズ１２は、紙面方向のみの光線を凸レンズ機能により拡げ、一方紙面方向と垂直方向はパワーをもたせず、そのまま透過させる構成となっている。図２は、この部分について、図１の垂直方向の断面を示す図である。
【００２３】
次にレーザ光１０は、Ｐ偏光１００％透過、Ｓ偏光１００％反射の特性を持つ偏光ビームスプリッタ１３の入射面にＰ偏光で入り、この面をほぼ１００％透過していく。続いてレーザ光１０は、アクチュエータ１５で保持されたコリメータレンズ１４を透過し、略平行光となる。この時情報記録媒体１の記録層２において、図示した中央の記録層に集光するようにする。
【００２４】
続いてレーザ光１０は、Ｐ偏光７０％透過、Ｓ偏光７０％反射の特性を持つ偏光ビームスプリッタ１６の入射面にＰ偏光で入り７０％が透過し、３０％が反射する。
【００２５】
偏光ビームスプリッタ１６を透過したレーザ光１０は、１／４波長板を透過した円偏光となり、対物レンズ１８により、情報記録媒体１の所望の記録層２の情報トラック上に集光させる。
【００２６】
一方、偏光ビームスプリッタ１６を反射したレーザ光１０は、Ｐ偏光で臨海角プリズム１９を反射し、光検出器２０で受光される。光検出器２０は、２分割フォトダイオードからなり、半導体レーザ光源１１からの光量を検出する。光検出器２０の和信号を対物レンズ１８から出射されるレーザ光１０の光量の光量制御を行うために使用するとともに、差信号をコリメートレンズ１４の位置制御に使用する。
【００２７】
また、情報記録媒体１で反射された反射レーザ光は、往路とは、逆の経路をたどって、対物レンズ１８、１／４波長板１７を透過する。この反射レーザ光は、往路と復路とで１／４波長板１７を２回透過するのでＳ偏光状態となり，偏光ビームスプリッタ１６を、例えばＴｓ≧７０［％］として透過させる。この偏光ビームスプリッタ１６を透過した反射レーザ光は、コリメータレンズ１４を経て偏光ビームスプリッタ１３に入射する。このビームスプリッタ１３に入射された反射レーザ光は、偏光ビームスプリッタ１３の反射面で反射される。この偏光ビームスプリッタ１３で反射される反射レーザ光は、シリンドリカルレンズ２０を通つて、ＰＩＮフォトダイオード２２に集光される。このＰＩＮフォトダイオード２２で集光された反射レーザ光は電気信号に変換されて信号処理回路に送られる。
【００２８】
この信号処理回路では、ＰＩＮフォトダイオード２２からの電気信号を基に、公知の非点収差法によリフォーカスエラー信号を出力し、記録層２にあらかじめ付けられたトラッキング用のグループにより、トラックエラー信号を出力する。一方、情報記録媒体１の所望の記録層２（図１の深い層、中央の層、浅い層）に記録されている情報信号を出力する。
【００２９】
ところで、本発明に係る光ピックアップ装置では、光軸方向変換器であるコリメータレンズ１４は、アクチュエータ１５により光軸方向に駆動可能になっており、記録層２，２，…を移動するとき情報記録媒体１のディスク厚、すなわち情報記録媒体１のディスク表面から集光点までの厚さが変わるため、記録層２から合わせてコリメータレンズ１４の位置を変え、球面収差を補正している。
【００３０】
すなわち、深い記録層を記録再生する場合は、記録層の厚さが暑くなるため記録層２に集光したスポットにはオーバー側の球面収差が発生する。この収差を補正するため、アクチュエータ１５によりコリメートレンズ１４を半導体レーザ光源１１側に近づけてコリメートレンズ１４からのレーザ光１０を発散光とし、対物レンズ１８に発散光を入れてアンダー側の球面収差を発生させる。これにより対物レンズ１８を透過し記録層２に集光したスポットは、球面収差をキャンセルした良好なスポットをつくる。浅い層を記録再生する場合は、逆にコリメートレンズ１４を半導体レーザ光源１１から遠ざけて、レーザ光１０を収束光束とする。
【００３１】
レーザ光１０を集光してできる情報記録媒体１のディスク内のスポットは、対物レンズ１８を対物レンズ駆動手段により情報記録媒体１のディスクに対してフォーカス方向および可動ユニットをボイスコイルモーターによりトラッキング方向（ディスク半径方向）に駆動して相対位置を制御している。
【００３２】
また、コリメータレンズ１４の位置制御や、レーザ光１０の光量制御は臨界角プリズム１９および光検出器２０ａを用いた臨界角法により行っている。
【００３３】
さらに、コリメータレンズ１４が移動するとき、レーザ光１０の平行度が変化して収束または発散する。したがって、光検出器２０ａの２分割フォトダイオードの差をとり差信号を得ることにより、図３に示す特性の位置制御信号Ｄが得られる。この位置制御信号Ｄを用いて、コリメータレンズ１４の位置制御を行えばよい。
【００３４】
また、コリメータレンズ１４を移動させることにより平行度の変化が生じると、対物レンズ１８上でケラレが生じるため、光量変化が生じる。この場合、臨界角プリズム１９がない場合、光検出器２０ａで受光する光量は、対物レンズ出射の光量変化に関係なくほぼ一定のため、正確な光量制御ができなくなる。
【００３５】
そこで、臨界角プリズム１９による臨界角法を用いた場合、平行度の変化を検知できるので、これを使用して光量制御を行えばよい。すなわち、図３に示すように、上記エラー信号を基に、コリメータレンンズ１４の位置制御信号Ｄと、光検出器２０ａの検出信号の和信号Ｋの変動をコリメータレンズ１４の位置がゼロ点を境に極性を反転させ、係数倍することにより、変動する対物レンズ１８からの出射光量を補正すればよい。
【００３６】
（ディスク内のスポット径について）
ところで、ディスク内のスポット径はどうなっているのかを、以下の条件を仮定して計算を行う。なお、図４（ａ）は本発明に係る光ピックアップ装置による場合のディスク内のスポットの位置とスポット径の関係を示す特性図、図４（ｂ）は本発明に係る光ピックアップ装置において、凹レンズを外した場合のディスク内のスポットの位置とスポット径の関係を示す特性図である。図５（ａ）は本発明に係る光ピックアップ装置による場合のディスク内のスポットの位置とａ／ｗとの関係を示す特性図、図５（ｂ）は本発明に係る光ピックアップ装置において、凹レンズを外した場合のディスク内のスポットの位置とａ／ｗとの関係を示す特性図である。図６は本発明に係る光ピックアップ装置において、ａ／ｗとスポット径の関係を示す図であり、横軸にａ／ｗを、縦軸にスポット径をそれぞれとったものである。
【００３７】
次に、スポット径を計算するための条件を述べると、例えばコリメータレンズ１４の焦点距離を１２．２［ｍｍ］、対物レンズ１８の焦点距離を２．６［ｍｍ］とし、ＮＡ数値を０．６とし、対物レンズの瞳径を３．１２［ｍｍ］とし、対物レンズ１８からコリメータレンズ１４までの距離を８８［ｍｍ］とする。なお、少なくとも対物レンズ１８はその他の光学系と分離してディスク半径方向へ移動可能な可動部（図示せず）に載っており、この位置から３０［ｍｍ］短くなる位置へ移動する（ディスク外周部に相当する）ことで、ディスク外周部にトラックすることができる。また、半導体レーザ光源１１の拡がり角の半値全幅は、上述したように水平方向に９［度］、垂直方向に２０［度］であり、水平方向の拡がり角のみ凹レンズ１２によって水平方向２０［度］と同じ角度になるように広げられたレーザ光１０に変換されている。
【００３８】
上記コリメータレンズ１４で平行光とされたあとの１／ｅ2となる強度での直径ｗと、対物レンズ１８の瞳径ａと直径ｗとの比（ａ／ｗ）とはそれぞれ以下のようになる。
【００３９】
すなわち、直径ｗについては、
ｗ＝２×１２．２［ｍｍ］×ｓｉｎ（２０［度］／２×１．６９９）
＝７．１３［ｍｍ］
ａ／ｗ＝０．４４
となる。
【００４０】
ここで、情報記録媒体１の屈折率をポリカーボネートの値である１．５６とおき、上記値を用いて媒体内で±４０［ｕｍ］の距離の中でスポットを動かした場合に、スポット径は、図４（ａ）により、光路長変動を含めてレンジで２［％］のレベル変動に納まっ
ている。
【００４１】
また、この条件におけるａ／ｗは、図５（ａ）に示すように、０．２８〜０．５５の間の変動となっている。
【００４２】
比較のため、図示水平方向（図１の紙面方向）のみを拡げる凹レンズ１２を外した場合の水平方向のスポット径図は、図４（ｂ）よリ、レンジで１４［％］の値を示し、大きな変動となることがわかる。
【００４３】
また、この条件におけるａ／ｗは、図５（ｂ）に示すように、０．６５〜１．２８の間で大きく変動することとなる。
【００４４】
一方、本発明の実施の形態に係る光ピックアップ装置において、ａ／ｗとスポット径の関係を調べてみると、図６に示すように、ａ／ｗの値が、例えば０．８境に大きくなればなるほどスポット径も大きくなることかわかる。したがって、コリメータレンズ１４を大きく変移させた場合の最大のａ／ｗ値を0．８以下に設定することにより、ａ／ｗの変化に対しスポット径変化の少ない領域（図６において、ａ／ｗ＝０．８〜０．３３の領域）を使用することができる。
【００４５】
以上説明したように本発明の実施の形態に係る光ピックアップ装置では、シリンドリカルレンズ１２を設けて、水平方向の拡がり角を大きくとり、かつ、コリメータレンズ１４を大きく変移させた場合の最大でもａ／ｗ値を 0．８以下に設定することにより、ディスク厚の変動や多層記録による記録層移動を行うことによる回折スポット径の変動を小さく押さえることができ、安定したトラックサーボや情報信号の記録再生を可能とすることができる。
【００４６】
［第２の実施の形態］
図７は、本発明の第２実施の形態に係る光ピックアップ装置の光学系全体を示す概略構成図である。図８は、同第２の実施の形態において光検出器で得られた検出信号の差を取った差信号の特性図で、横軸にコリメータレンズの移動量を、縦軸に差信号の値をとった図である。図９は、同第２の実施の形態において光検出器から得られた検出信号の特性図であって、横軸にコリメータレンズの移動量を、縦軸に検出信号の値をとった図である。
【００４７】
この第２の実施の形態が第１実施の形態と異なる部分のみを以下では説明する。なお、第２の実施の形態において、第１の実施の形態と同一構成要素には同一の符号を付して説明を省略する。
【００４８】
図７に示す第２実施の形態において、情報記録媒体１は、グルーブを有するガイドトラック層５と、該ガイドトラック層５上に記録／再生用レーザ光の吸収層６を介して設けられた記録媒質４が分割されて，複数の記録層２を形成するようになつている。
【００４９】
この第２の実施の形態では、この情報記録媒体１に、ガイドトラック層５からフォーカス制御およびトラッキング制御を行うためにサーボ用レーザ光（第１のビーム）４０を照射するとともに、記録／再生用レーザ光（第２のビーム）１０とを照射して所望の記録層に対して情報の記録／再生を行うことを特徴としている。
【００５０】
この第２の実施の形態では、第１の実施の形態における偏光ビームスプリッタ１６に代えてダイクロイックプリズム２３を使用している。当該ダイクロイックプリズム２３と対物レンズ１８との間にビームスプリッタ２４を設けている。
【００５１】
１／４波長板１７は、コリメータレンズ１４とダイクロイックプリズム２３の間に配置される。なお、サーボ用レーザ光４０の波長は、記録／再生用レーザ１０の波長よりも長くする。
【００５２】
また、サーボ用レーザ光４０および記録／再生用レーザ光１０は、ビームスプリッタ２４で反射させ、対物レンズ１８に入射する。
【００５３】
一方、ビームスプリッタ２４を透過したサーボ用レーザ光４０は、集光レンズ２５およびシリンドリカルレンズ２６を通つて、光検出器２０ｂに集光される。集光レンズ２５は、対物レンズ１８と同じ径の絞り２７が配置されている（対物レンズの絞りは省略されている）。光検出器２０ｂは４分割フォトダイオードである。また、ビームスプリンタ２４および対物レンズ１８の検出系は、分離光学系の可動部２８に配置されている。このとき、ビームスプリッタ２４から対物レンズ１８までの距離と、ビームスプリッタ２４から集光レンズ２５までの光学距離は同距離であるため、発散、収東による対物レンズ１８の透過光と同じ光量の変動を光検出器２０ｂで検出することができる。
【００５４】
サーボ用レーザ光４０は、光源ユニット４１から出射される。この光源ユニット４１は、半導体レーザ光源４２と、光検出器４３と、ホログラム４４とから構成されている。この光源ユニット４１とコリメータレンズ４５との間には、水平方向（図１の紙面方向）の拡がり角のみ大きく変換するシリンドリカルレンズ４６が配置されている。この光源ユニット４１からのサーボ用レーザ光４０は、シリンドリカルレンズ４６で水平方向（図１の紙面方向）の拡がり角のみ大きく変換された後、コリメータレンズ４５で略平行光にされ、しかる後に、ダイクロイックプリズム２３、ビームスプリッタ２４で反射され、対物レンズ１８により情報記録媒体１のガイドトラック５に集光される。なお、凹レンズ４６は、半導体レーザ光源４１の拡がり角の違いを補正するビーム整形手段を構成している。
【００５５】
また、情報記録媒体１で反射されるサーボ用レーザ光４０は、往路とは逆の経路をたどつて、対物レンズ１８、ビームスプリッタ２４、ダイクロイックプリズム２３、コリメータレンズ４５および凹レンズ４６を介して光源ユニット４１のホログラム４４に入射させて回折させ、その回折光を光検出器４３で受光して、公知のビームサイズ法やフーコー法などによリフォーカスエラー信号を検出し、プッシュプル法などによりトラッキングエラー信号を検出する。
【００５６】
なお、光検出器４３からの検出信号の差を取ると、図８に示すような検出差信号Ｄが得られるので、この検出差信号Ｄによりコリメータレンズ４５を駆動すればよい。
【００５７】
また、光検出器４３からの検出信号Ｓａ，Ｓｂは、図９に示すように、コリメータレンズ４５を透過したレーザ光が収束光となるように移動すればするほど高くなり（出射光量が大きくなり）、コリメータレンズ４５を透過したレーザ光が発散光となるように移動すればするほど低くなる（出射光量が小さくなる）。また、光検出器４３からの検出信号の特性は、図９に示すように、内周側の検出信号Ｓａのほうが変化率が大きく、外周側の検出信号Ｓｂほうが変化率が小さい。したがって、この光検出器４３の検出信号ＳａまたはＳｂの特性を使用し、コリメータレンズ４３の位置に対する半導体レーザ光源４２の出射光量を制御すればよい。
【００５８】
なお、サーボ用レーザ光４０側のコリメータレンズ４５の駆動に応じて、対物レンズ１８の位置を動かすことにより、相対的に記録／再生用レーザ光１０の情報記録媒体１のディスク内のスポット位置を移動させることができる。
【００５９】
この場合も、サーボ用光源側のコリメータレンズ４５を大きく変移させた場合の最大のａ／ｗ値を 0．８以下に設定することにより、ａ／ｗの変化に対しスポット径変化の少ない領域（図６において、ａ／ｗ＝０．８〜０．３３の領域）を使用することができる。
【００６０】
以上説明したように本発明の第２の実施の形態に係る光ピックアップ装置では、シリンドリカルレンズ４６を設けて、水平方向の拡がり角を大きくとり、かつ、コリメータレンズ４５を大きく変移させた場合の最大でもａ／ｗ値を 0．８以下に設定することにより、ディスク厚の変動や多層記録による記録層移動を行うことによる回折スポット径の変動を小さく押さえることができ、安定したトラックサーボや情報信号の記録再生を可能とすることができる。
【００６１】
また、第２の実施の形態に特有の効果としては、２波長により、記録再生専用のレーザ光１０のスポットとサーボ専用のレーザ光４０のスポットとに分け、記録再生用のレーザ光１０のスポットのａ／ｗは変動させないようにすることで、記録再生の性能変動を
抑えることができるとともに、サーボ用として可動部に光量検出手段を設けることで、光路長が変わるときの対物レンズ１８からの出射パワー変動も同時に抑えることができる。
【００６２】
なお、第２の実施の形態では、前記サーボ用の光源ユニット４１からのサーボ用レーザ光４０の光軸を変換するコリメータレンズ（光軸方向変換器）４５をアクチュエータ１５で移動させるようにしたが、信号記録再生用の半導体レーザ光源１１からのレーザ光１０の光軸を変換するコリメータレンズ（光軸方向変移器）１４をアクチュエータで移動させるようにしてもよい。
【００６３】
【発明の効果】
以上説明したように本発明によれば、情報記録媒体ディスクの厚みの変動や多層記録による記録層移動を行うことによる回折スポット径の変動を小さく押さえたので、安定したトラックサーボや情報信号の記録再生を可能とすることができる。
【図面の簡単な説明】
【図１】本発明の第１実施の形態に係る光ピックアップ装置の光学系の全体を示す概略構成図である。
【図２】同第１の実施の形態に係る光ピックアップ装置の光学系の要部を示す垂直方向断面図である。
【図３】同第１の実施の形態に係る光ピックアップ装置で使用するＰＩＮフォトダイオードからの信号とコリメータレンズ移動量との関係を示す特性図である。
【図４】図４（ａ）は同第１の実施の形態に係る光ピックアップ装置による場合のディスク内のスポットの位置とスポット径の関係を示す特性図、図４（ｂ）は本発明の第１の実施の形態に係る光ピックアップ装置において、凹レンズを外した場合のディスク内のスポットの位置とスポット径の関係を示す特性図である。
【図５】図５（ａ）は同第１の実施の形態に係る光ピックアップ装置による場合のディスク内のスポットの位置とａ／ｗとの関係を示す特性図、図５（ｂ）は同第１の実施の形態に係る光ピックアップ装置において、凹レンズを外した場合のディスク内のスポットの位置とａ／ｗとの関係を示す特性図である。
【図６】同第１の実施の形態に係る光ピックアップ装置において、ａ／ｗとスポット径の関係を示す図である。
【図７】本発明の第２実施の形態に係る光ピックアップ装置の光学系全体を示す概略構成図である。
【図８】同第２の実施の形態において光検出器で得られた検出信号の差を取った差信号の特性図である。
【図９】同第２の実施の形態において光検出器から得られた検出信号の特性図である。
【符号の説明】
１  情報記録媒体
２  記録層
３  保護層
４  記録媒質
５  ガイドトラック層
６  吸収層
８  サーボ駆動系
１０，４０  レーザ光
１１  半導体レーザ光源
１２，４６  シリンドリカルレンズ（ビーム整形手段９）
１３  偏光ビームスプリッタ
１４，４５  コリメータレンズ（光軸方向変移器）
１５  アクチュエータ
１６  偏光ビームスプリッタ
１７  １／４波長板
１８  対物レンズ
１９  臨界角プリズム
２０ａ，２０ｂ  光検出器
２１  シリンドルカルレンズ
２２  ＰＩＮフォトダイオード
２３  ダイクロイックプリズム
２４  ビームスプリッタ
２５  集光レンズ
４１  光源ユニット
４２  半導体レーザ光源
４３  光検出器
４４  ホログラム
【図１】
0004302303.tif 000002
【図２】
0004302303.tif 000003
【図３】
0004302303.tif 000004
【図４】
0004302303.tif 000005
【図５】
0004302303.tif 000006
【図６】
0004302303.tif 000007
【図７】
0004302303.tif 000008
【図８】
0004302303.tif 000009
【図９】
0004302303.tif 000010